(57)【特許請求の範囲】
【請求項１】
車両進行方向に対して直交する左右方向に指向したクランク軸を軸支するクランク室の後方に変速軸を軸支するミッション室を形成するクランクケースが、上側クランクケースと下側クランクケースに上下割りに構成され、
前記上側クランクケースと前記下側クランクケースの各割り面に互いに上下対向して対をなす複数の締付ボス部を有し、該複数の締付ボス部をそれぞれ締結ボルトが締付けることで前記上側クランクケースと前記下側クランクケースを一体化してクランクケースを形成する小型車両用内燃機関において、
前記変速軸の一端に前記クランク軸の動力を同変速軸に接続・遮断するクラッチが配設され、
前記複数の締付ボス部のうち最後部の締付ボス部が、車体前後方向で前記クラッチの後方部位と重なる位置にあり、
前記クラッチは、クランク軸側のドライブギヤに噛合するドリブンギヤとクラッチ機構とで構成され、
前記ドリブンギヤの外径が、前記クラッチ機構の外径より大きく構成され、
前記最後部の締付ボス部であって前面視で前記クラッチの背後に位置する締付ボス部が、前記ドリブンギヤより側面視で手前側の位置であって、前記クランクケースの割り面に軸支されるクランク軸のクランクピンとクランク軸方向で同一位置に形成されることを特徴とする小型車両用内燃機関。
【発明の詳細な説明】
【技術分野】
【０００１】
本発明は、自動二輪車等の小型車両用の内燃機関であって、特にクランクケースが上下割りに構成される内燃機関に関する。
【背景技術】
【０００２】
自動二輪車に搭載される内燃機関であって、クランクケースが上下割りに構成される内燃機関としては、特許文献１に開示された例がある。
【０００３】
【特許文献１】実公平２−１３６８８号公報
【０００４】
同特許文献１に開示された内燃機関は、上下割りに構成された上側クランクケースと下側クランクケースを締結ボルトにより一体に締付ける複数の締付ボスのうち変速軸の一端に設けられた多板摩擦クラッチの背後の締付ボスが、車体前後方向で多板摩擦クラッチと重なることなく後方に離れている。
【０００５】
多板摩擦クラッチの背後の締付ボスは、多板摩擦クラッチのアウタと一体のアウタより径の大きいドリブンギヤとも重なることはなく後方に離れている。
【発明の開示】
【発明が解決しようとする課題】
【０００６】
このように、クランクケースにおけるクラッチの背後の締付ボスが、クラッチより後方に離れて位置することで、小型車両に搭載された内燃機関より後方の車体のコンパクト化が図り難い。
【０００７】
本発明は、かかる点に鑑みなされたもので、その目的とする処は、クランクケースが上下割りに構成される内燃機関が小型車両に搭載されたとき、内燃機関より後方の車体のコンパクト化を図ることができる小型車両用内燃機関を供する点にある。
【課題を解決するための手段】
【０００８】
上記目的を達成するために、請求項１記載の発明は、車両進行方向に対して直交する左右方向に指向したクランク軸を軸支するクランク室の後方に変速軸を軸支するミッション室を形成するクランクケースが、上側クランクケースと下側クランクケースに上下割りに構成され、前記上側クランクケースと前記下側クランクケースの各割り面に互いに上下対向して対をなす複数の締付ボス部を有し、該複数の締付ボス部をそれぞれ締結ボルトが締付けることで前記上側クランクケースと前記下側クランクケースを一体化してクランクケースを形成する小型車両用内燃機関において、前記変速軸の一端に前記クランク軸の動力を同変速軸に接続・遮断するクラッチが配設され、前記複数の締付ボス部のうち最後部の締付ボス部が、車体前後方向で前記クラッチの後方部位と重なる位置にあり、前記クラッチは、クランク軸側のドライブギヤに噛合するドリブンギヤとクラッチ機構とで構成され、前記ドリブンギヤの外径が、前記クラッチ機構の外径より大きく構成され、前記最後部の締付ボス部であって前面視で前記クラッチの背後に位置する締付ボス部が、前記ドリブンギヤより側面視で手前側の位置であって、前記クランクケースの割り面に軸支されるクランク軸のクランクピンとクランク軸方向で同一位置に形成される小型車両用内燃機関とした。
【発明の効果】
【００１０】
請求項１記載の小型車両用内燃機関によれば、複数対の締付ボスのうち最後部の締付ボス部が、車体前後方向でクラッチの後方部位と重なる位置にあるので、クランクケースの後端を可及的に前方に位置させ、内燃機関より後方の車体のコンパクト化を図ることができる。
【００１１】
クラッチ機構とともにクラッチを構成するドリブンギヤの外径が、前記クラッチ機構の外径より大きく構成され、最後部の締付ボス部であってクラッチの背後に位置する締付ボス部が、クランクケースの割り面に軸支されるクランク軸のクランクピンとクランク軸方向で同一位置に形成されるので、クラッチを変速軸に組付ける際に、ドリブンギヤをクランクピンのあるクランクウエブ間に一度逃がしながら当該締付ボス部を乗り越えて変速軸に組付けることができ、組付け性を維持できる。
また、クランクケースの締結を隅部に近い位置に設定できるため、クランクケースの締結力を向上させることができる。
【発明を実施するための最良の形態】
【００１２】
以下、本発明に係る一実施の形態について図１ないし図１１に基づいて説明する。
本実施の形態に係る内燃機関Ｅを搭載する自動二輪車１の全体右側面図を図１に示す。
自動二輪車１の車体フレームは、ヘッドパイプ２ａからメインフレーム２ｂが後方へ若干斜め下向きに延出しており、その後端部で下方に屈曲してセンタフレーム２ｃが連結され、メインフレーム２ｂの後部から後方へ若干上向きにシートレール２ｄが延出している。
【００１３】
このメインフレーム２ｂおよびセンタフレーム２ｃの屈曲する内側に内燃機関Ｅが懸架されている。
ヘッドパイプ２ａに斜めに軸支されたステアリング軸３の下方に延びたフロントフォーク４の下端に前輪ＦＷが軸支され、ステアリング軸３の上端からは左右に展開してハンドル５が延出している。
【００１４】
センタフレーム２ｃのピボット軸Ｐに前端を軸支されてスイングアーム６が後方に延びており、同スイングアーム６の後端部に後輪ＲＷが軸支されている。
スイングアーム６に連結されたリンク機構７と車体フレームとの間にリヤクッション８が介装されている。
シートレール２ｄには運転者が乗るシート９が配設されている。
【００１５】
このような自動二輪車１に搭載される本実施の形態に係る内燃機関Ｅは、４つのシリンダを直列に配置した直列４気筒の水冷式内燃機関であり、自動二輪車にクランク軸10を左右方向に指向させて横置きに搭載される。
なお、本明細書において、車両前進方向を前方、その反対方向を後方とし、前進方向である前方を見て左手方向を左方、右手方向を右方と決めておく。
【００１６】
該内燃機関Ｅの左側面図を図２に、一部断面とした右側面図を図３に、一部省略した平面図を図４に示し、図１におけるＶ−Ｖ線で切断した断面図を図５に示す。
また、図５におけるVI−VI線で切断した概略断面図を図６に示す。
【００１７】
クランク軸10を軸支するクランクケース11は、クランク室11Ｃの後方にミッション室11Ｍを形成するもので、上下割りに構成され、上側クランクケース11Ｕのクランク室11Ｃを形成する前半部の上には４つのシリンダ12ｃを直列に配列して一体に成形されたシリンダブロック12とシリンダヘッド13が順に重ねられて幾らか前方に傾いて立設され、シリンダヘッド13の上にはシリンダヘッドカバー14が被せられる。
一方、下側クランクケース11Ｌの下にはオイルパン15が取り付けられる。
【００１８】
図５および図６を参照して、上側クランクケース11Ｕと下側クランクケース11Ｌの各ジャーナル壁11Ｕｗ，11Ｌｗが、クランク軸10のジャーナル部10ｊを主軸受20を介して上下から挟むようにして支持してクランク軸10を回転自在に軸支する。
直列４気筒の内燃機関Ｅであるので、クランク軸10は５つのジャーナル部10ｊを有し、上側クランクケース11Ｕと下側クランクケース11Ｌの上下それぞれ５つジャーナル壁11Ｕｗ，11Ｌｗによりクランク軸10は回転自在に支持される。
【００１９】
この上側クランクケース11Ｕと下側クランクケース11Ｌは、互いの割り面を合せてボルトにより一体に締結される。
図７を参照して、上側クランクケース11Ｕと下側クランクケース11Ｌの各５つのジャーナル壁11Ｕｗ，11Ｌｗのそれぞれにおいて、クランク軸10を挟持する半円弧部を挟む前後にスタッドボルト21ｆ，21ｒが下方から真っ直ぐ上方へ下側クランクケース11Ｌを貫通して上側クランクケース11Ｕの長尺のねじ孔に螺入して緊締している。
【００２０】
前側のスタッドボルト21ｆは、上側クランクケース11Ｕのねじ孔に螺入した後、先端をクランク室の空洞22ａに突出開放しており、後側のスタッドボルト21ｒも上側クランクケース11Ｕのねじ孔に螺入した後、先端を上側クランクケース11Ｕにクランク軸10と平行に穿設された円孔22ｂに突出開放している。
したがって、スタッドボルト21ｆ，21ｒの螺合緊締によりねじ孔周辺に作用する応力が一部に集中するのを低減することができる。
【００２１】
上側クランクケース11Ｕと下側クランクケース11Ｌは、上記スタッドボルト21ｆ，21ｒだけでなく、主に前端縁部と後端縁部の所要箇所を複数の締結ボルト23により締結される（図６，図７参照）。
下側クランクケース11Ｌについてみると、クランクケース11の下面図である図７に示すように、前端縁部と後端縁部の締付ボス部29に締結ボルト23が螺着されている。
【００２２】
図５には下側クランクケース11Ｌの後部の割り面が後端縁部の締付ボス部29とともに示されており、後端縁部の締付ボス部29のうち最後部となる締付ボス部29ｒが４箇所ある。
そのうち右端の締付ボス部29rlは、変速ギヤ群51ｇ，55ｇが収容されるミッション室11Ｍの外側にあって後記する摩擦クラッチ54，プライマリドリブンギヤ53ｂの背後の右後隅部の近傍に位置する。
【００２３】
クランクケース11を右側面から視た図３には、この下側クランクケース11Ｌの割り面の右後隅部の締付ボス部29rlとともに、これと対向する上側クランクケース11Ｕの締付ボス部29ruが図示されており、上下対をなし割り面で合わされた締付ボス部29ruと締付ボス部29rlが下方から挿入され螺着された締結ボルト23により締結されている。
【００２４】
そして、上側クランクケース11Ｕの上に幾らか前傾してシリンダブロック12が互いの合せ面を合せて重ねられ、同シリンダブロック12の上にシリンダヘッド13が重ねられて、上側クランクケース11Ｕのジャーナル壁11Ｕｗに連続するシリンダブロック12とシリンダヘッド13の部分を、前後のスタッドボルト25ｆ，25ｒが上方から貫通し、上側クランクケース11Ｕに穿設されたねじ孔26ｆ，26ｒに螺入され一体に締結される。
【００２５】
実際には、上側クランクケース11Ｕの合せ面に穿設されたねじ孔26ｆ，26ｒにスタッドボルト25ｆ，25ｒの下端を螺合してスタッドボルト25ｆ，25ｒを上方に突出した植設状態とし、このスタッドボルト25ｆ，25ｒにシリンダブロック12の貫通孔を合せて貫通させて上側クランクケース11Ｕの合せ面の上にシリンダブロック12を重ね、次いでシリンダブロック12の貫通孔を貫通して突出したスタッドボルト25ｆ，25ｒにシリンダヘッド13の貫通孔を合せて貫通させてシリンダブロック12の上側合せ面の上にシリンダヘッド13を重ねる。
【００２６】
そして、シリンダヘッド13の貫通孔を貫通して突出したスタッドボルト25ｆ，25ｒの上端雄ねじ部に袋ナット27ｆ，27ｒを螺着し緊締することで、袋ナット27ｆ，27ｒとともにスタッドボルト25ｆ，25ｒが、さらにねじ孔26ｆ，26ｒに螺入してシリンダブロック12とシリンダヘッド13が上側クランクケース11Ｕに一体に締結される。
【００２７】
上側クランクケース11Ｕの中央３つのジャーナル壁11Ｕｗには、ケース割り面に開口するように空洞28が形成されており、前側のねじ孔26ｆは、シリンダブロック12との合せ面から空洞28まで貫通している。
【００２８】
シリンダヘッド13とシリンダブロック12を貫通したスタッドボルト25ｆは、このねじ孔26ｆに螺入され、先端が一部空洞28に突出開放される。
したがって、スタッドボルト25ｆの螺合緊締により上側クランクケース11Ｕのねじ孔周辺に作用する応力が一部に集中するのを低減することができる。
【００２９】
このように上側クランクケース11Ｕに一体に締結されるシリンダブロック12の４つのシリンダのシリンダボア12ｃにピストン30が往復摺動可能に嵌合され、同ピストン30はコンロッド31を介してクランク軸10のクランクウエブ10ｗ，10ｗ間のクランクピン10ｐに連結される。
【００３０】
シリンダヘッド13には、シリンダボア12ｃ毎に、ピストン30に対向して形成される燃焼室32と、燃焼室32に開口して１対の吸気弁35により開閉される吸気ポート33が後方へ延出し、１対の排気弁36により開閉される排気ポート34が前方に延出し、さらに燃焼室32に臨む点火プラグ37が装着される。
なお、吸気ポート33の上流側吸気通路管33ｂにはスロットルボディ33ａが連結されて、その上流に図示しないが、吸気管が連結され、排気ポート34の下流側開口には排気管が連結される。
【００３１】
各吸気弁35および各排気弁36は、シリンダヘッド13に回転可能に軸支される吸気カム軸38および排気カム軸39によりクランク軸10の回転に同期して開閉駆動される。
そのために、各カム軸38，39は、右端部にカムスプロケット38ｓ，39ｓが嵌着され、クランク軸10の右端部近傍に嵌着される駆動スプロケット10ｓとカムスプロケット38ｓ，39ｓの間にタイミングチェーン40が掛け渡され（図３，図５参照）、クランク軸10の半分の回転速度で回転駆動される。
【００３２】
シリンダブロック12とシリンダヘッド13の右端部には、タイミングチェーン40を配設するためのカムチェーン室12cc，13ccが形成されており（図５参照）、カムチェーン室12cc，13ccにおいてカムチェーンガイド41，42がタイミングチェーン40に沿って前後に設けられ、後側のカムチェーンガイド42は、油圧式のカムチェーンテンショナ43によって付勢されてタイミングチェーン40を押さえつけ適当なテンションを与えている（図３参照）。
カムチェーンテンショナ43は、図３に示すようにシリンダヘッド13のカムチェーン室13ccの後壁から後方へ突出したテンショナホルダー13ａに取り付けられる。
【００３３】
他方、図５を参照して、クランクケース11の左側壁をなす最も左側のジャーナル壁11Ｕｗ，11Ｌｗから左方へ突出したクランク軸10の左端部には、交流発電機47のアウタロータ47ｒが嵌着され、交流発電機47に左方から被せられる発電機カバー48に交流発電機47の発電コイルを備えたインナステータ47ｓが支持されてアウタロータ47ｒ内に配置される。
【００３４】
発電機カバー48内にあって、交流発電機47のアウタロータ47ｒの外周前方に近接してクランク軸10の回転数を検出する機関回転数検出装置であるパルサコイル49が、配置されている。
【００３５】
クランクケース11におけるクランク軸10を収容するクランク室11Ｃより後方のミッション室11Ｍ内に変速機50が配設されている。
変速機50は、常時噛合い式の歯車変速機であり、クランク軸10の後方で斜め上方位置にメイン軸51が上側クランクケース11Ｕに軸受52を介して回転自在に軸支され、クランク軸10の後方で上側クランクケース11Ｕと下側クランクケース11Ｌの割り面に挟まれてカウンタ軸55が軸受56を介して回転自在に軸支され、クランク軸10と平行なメイン軸51とカウンタ軸55にそれぞれ装着される変速ギヤ群51ｇ，55ｇが互いに対となるギヤどうしを噛合しており、軸にスプライン嵌合しシフタとなるギヤの変速操作機構による移動によって変速がなされる。
【００３６】
図５に示すように、メイン軸51のミッション室11Ｍから右方に突出した右端部には多板式の摩擦クラッチ54が設けられている。
摩擦クラッチ54は、クラッチアウタ54ｏと一体にプライマリドリブンギヤ53ｂが備えられており、同プライマリドリブンギヤ53ｂはクランク軸10の右側から数えて２番目のクランクウエブ10ｗに形成されたプライマリドライブギヤ53ａと噛合して１次減速機構を構成している。
プライマリドライブギヤ53ａの外径は、摩擦クラッチ54のクラッチアウタ54ｏの外径より大きい。
【００３７】
摩擦クラッチ54の出力側であるクラッチインナ54ｉがメイン軸51にスプライン嵌合しており、よってクランク軸10の回転が１次減速機構53ａ，53ｂおよび摩擦クラッチ54を介してメイン軸51に伝達される。
【００３８】
そして、メイン軸51の回転は、変速ギヤ群51ｇ，55ｇの噛合いを介してカウンタ軸55に伝達される。
カウンタ軸55は、出力軸でもあり、クランクケース11を左方に貫通して外部に突出させた左端部に出力スプロケット57ａが嵌着され、後輪ＲＷの被動スプロケット57ｂとの間に伝動チェーン58が掛け渡され２次減速機構が構成され、この２次減速機構を介して動力が後輪ＲＷに伝達される（図１参照）。
【００３９】
図５に示すように、クランク軸10における駆動スプロケット10ｓより右側には始動用被動ギヤ63が一方向クラッチ64を介して軸支されている。
内燃機関Ｅを始動するスタータモータ60は、クランクケース11のミッション室11Ｍを形成する後半部の上面における左右方向中央（図４参照）で前寄り（図２参照）の位置に取り付けられている。
【００４０】
上側クランクケース11Ｕにおけるシリンダブロック12が結合される前半部の後方のミッション室11Ｍを形成する後半部の上壁は、右側部分が摩擦クラッチ54やプライマリドリブンギヤ53ｂ等を収容すべく上方に大きく膨出しており、この膨出部11Ｕａの左側面に沿ってスタータモータ60が取り付けられる。
なお、摩擦クラッチ54等の右側はクラッチカバー59により覆われる（図４参照）。
【００４１】
該スタータモータ60の右方に突出した駆動ギヤ軸61は、上側クランクケース11Ｕの膨出部11Ｕａの側壁を内部に貫通しており、同駆動ギヤ軸61と前記始動用被動ギヤ63との間に減速ギヤ機構62が介装されている。
したがって、スタータモータ60の駆動による駆動ギヤ軸61の回転が減速ギヤ機構62により減速されて始動用被動ギヤ63に伝達され、始動用被動ギヤ63の回転が一方向クラッチ64を介してクランク軸10に伝達されて内燃機関Ｅが始動される。
【００４２】
図５に示すように、メイン軸51のプライマリドリブンギヤ53ｂの左隣りに駆動スプロケット65ａが回転自在に軸支されるとともに、同駆動スプロケット65ａは、突起を延ばしてプライマリドリブンギヤ53ｂの孔に嵌合させてプライマリドリブンギヤ53ｂと一体に回転するようになっている。
【００４３】
クランクケース11を下方から見た下面図である図７を参照して、メイン軸51の下方には下側クランクケース11Ｌにオイルポンプ70と水ポンプ100が左右に並んで取り付けられている。
【００４４】
右側（図７では左側）のオイルポンプ70は、下側クランクケース11Ｌの内部に下方からボルト72により取り付けられ、左側（図７では右側）の水ポンプ100は、下側クランクケース11Ｌの左側壁に外側から嵌挿してボルト104により取り付けられており、オイルポンプ70の左側に突出した駆動軸71と水ポンプ100の右側に突出した駆動軸101が同軸に連結されている。
【００４５】
オイルポンプ70の駆動軸71は、右方にも突出しており、その右端部に被動スプロケット65ｂが嵌着されている。
この被動スプロケット65ｂの上方に前記メイン軸51に設けられた駆動スプロケット65ａが位置して、駆動スプロケット65ａと被動スプロケット65ｂとの間に無端チェーン66が架渡される（図３参照）。
【００４６】
したがって、クランク軸10の回転が１次減速機構のプライマリドリブンギヤ53ｂと一体の駆動スプロケット65ａから無端チェーン66を介して被動スプロケット65ｂに伝達され、被動スプロケット65ｂとともにオイルポンプ70の駆動軸71および水ポンプ100の駆動軸101を回転駆動する。
【００４７】
また、下側クランクケース11Ｌを下方から見た図７を参照して、中央側気筒に対応する中央のジャーナル壁11Ｕｗの前部とその左隣り（図７では右隣り）のジャーナル壁11Ｕｗの前部との間にバランサ室94が形成されて、同バランサ室94内において左右のジャーナル壁11Ｕｗ，11Ｕｗにバランサ軸95ａの両端が支持されて２次バランサ95が架設されている。
２次バランサ95は、図２に示す側面視でクランク軸10より下方斜め前方に位置する。
クランクケース11の前面図である図８を参照して、２次バランサ95は、バランサ軸95ａにバランスウエイト95ｂがニードル軸受95ｃを介して軸支され、バランスウエイト95ｂのボス部外周にバランサドリブンギヤ96ｂが嵌着されている。
【００４８】
２次バランサ95のバランサドリブンギヤ96ｂは、クランク軸10のクランクウエブに形成されたバランサドリブンギヤ96ｂの２倍の歯数を有するバランサドライブギヤ96ａ（図５参照）に噛合している。
したがって、２次バランサ95は、クランク軸10の２倍の回転速度でバランスウエイト95ｂが回転して直列４気筒の内燃機関１の２次振動を吸収する。
【００４９】
油圧供給源である前記オイルポンプ70は、トロコイド式のポンプであり、駆動軸71と一体のインナロータがその周囲に噛み合うアウタロータを回転させ、ロータ間の容積変化でオイルを吸入・吐出させる。
【００５０】
オイルポンプ70の吸入口70ａが下方に開口しており（図７参照）、同吸入口70ａに吸入導管73が連結され、吸入導管73はオイルパン15内を下方に延出して下端部をオイルパン15の底面に接近させてオイルストレーナ74を配設している（図３参照）。
したがって、オイルポンプ70が駆動されると、オイルパン15に溜まったオイルがオイルストレーナ74を介して吸入導管73に導かれて汲み上げられる。
【００５１】
オイルポンプ70の吐出口70ｂも下方に開口しており、図３および図７に示すように、同吐出口70ｂに第１のオイル供給路Ａ１を形成するオイル供給管75の一端が連結され、オイル供給管75はオイルパン15内を下方に迂回して前方斜め右寄り（図７で左寄り）に延出し、下側クランクケース11Ｌの前面の右端近傍に突設されたオイルフィルタ76の流入口76ａ（図８参照）から後方へ穿設された第２のオイル供給路Ａ２の端部の下方に開口した入口75ａに、他端が連結されている。
【００５２】
図７および図８を参照して、下側クランクケース11Ｌの前面には、右端近傍に配置されたオイルフィルタ76の左側(図７,図８では右側)に並んでオイルクーラ77が突設されており、下側クランクケース11Ｌの前面のオイルクーラ77が取り付けられる部分にはオイルクーラ77の流入ポート78ａと流出ポート78ｂを構成するオイルクーラハウジング78が形成されている。
オイルクーラハウジング78の左隣りに前記バランサ95が配置されている(図７参照)。
【００５３】
図７に示すように、オイルフィルタ76の後方に突出した流出筒76ｂは、左右方向に穿設された第３のオイル供給路Ａ３に連通しており、第３のオイル供給路Ａ３はオイルクーラハウジング78の流入ポート78ａに連通している。
そして、オイルクーラハウジング78の中心部の流出ポート78ｂからは後方に向けて第４のオイル供給路Ａ４が穿設されている（図７，図８参照）。
【００５４】
この第４のオイル供給路Ａ４に直交するように第５のオイル供給路であるメインギャラリＡ５がクランク軸10の下方にクランク軸10と平行に穿設されている。
メインギャラリＡ５は、下側クランクケース11Ｌの５つのジャーナル壁11Ｌｗを貫通しており、各ジャーナル壁11Ｌｗにおいて各ジャーナル軸受部に向けてオイル分岐供給路Ａ６が穿設されている。
【００５５】
なお、図３を参照して、オイル供給路Ａ４の後端部からは、後方の変速機50側に斜め上向きにオイルを供給するオイル供給路Ｂ１が穿設され、同オイル供給路Ｂ１に連続して上側クランクケース11Ｕにメイン軸51の軸受部にオイルを供給するオイル供給路Ｂ２が穿設されている。
【００５６】
また、図３および図７を参照して、下側クランクケース11Ｌにおいて、オイル供給路Ｂ１の途中から右方に向けてカムチェーンテンショナ43にオイルを供給する第１のオイル供給路Ｃ１が分岐して穿設されており、第１のオイル供給路Ｃ１は最も右側のジャーナル壁11Ｌｗまで至り、その右端部から上方へ屈曲して割り面に開口している。
【００５７】
この第１のオイル供給路Ｃ１の開口に対向して上側クランクケース11Ｕの最も右側のジャーナル壁11Ｕｗの割り面に適当な容積の凹部があり、凹部の開口が下側クランクケース11Ｌのジャーナル壁11Ｌｗの割り面により第１のオイル供給路Ｃ１の開口を除いて蓋をされることで、凹部はオイル溜り室Ｃａを構成する。
【００５８】
上側クランクケース11Ｕにおいて、ジャーナル壁11Ｕｗの割り面に沿ったオイル溜り室Ｃａからは、第２のオイル供給路Ｃ２がシリンダブロック12との合せ面に向かい斜めに穿設されている。
第２のオイル供給路Ｃ２は、シリンダブロック12の右側壁の後部に穿設された第３のオイル供給路Ｃ３に連続する。
【００５９】
シリンダブロック12において第３のオイル供給路Ｃ３は、上側クランクケース11Ｕとの合せ面からシリンダ軸方向に穿設された後、後方に一度屈曲し再び屈曲してシリンダヘッド13との合せ面に向かい合せ面に形成されたラビリンス構造部Ｃｂを経てシリンダヘッド13に穿設された第４のオイル供給路Ｃ４に連通する。
【００６０】
第４のオイル供給路Ｃ４はＬ字に屈曲してカムチェーンテンショナ43の流入口に接続されてオイルをカムチェーンテンショナ43に供給することになる。
途中のラビリンス構造部Ｃｂは、シリンダブロック12とシリンダヘッド13の合せ面において両者間を行き来する迷路を形成したもので、フィルタとしての効果を備える。
【００６１】
一方、図３および図８を参照して、下側クランクケース11Ｌにおけるオイルクーラハウジング78の流出ポート78ｂから真上に向かってピストン冷却用のオイルを供給する第１のオイル供給路Ｄ１が上側の割り面まで穿設されている。
なお、オイルクーラハウジング78の流出ポート78ｂからは左隣りのバランサ95のバランサ軸95ａに向けて連通孔98も形成されていてバランサ95の潤滑にオイルが供されるようになっている（図７，図８参照）。
【００６２】
上側クランクケース11Ｕの５つのジャーナル壁11Ｕｗのうち中央のジャーナル壁11Ｕｗに形成された前記空洞28は、ケース割り面に開口しており、上側クランクケース11Ｕの割り面においてこの中央の空洞28の開口と前記第１のオイル供給路Ｄ１が対向する部分まで第２のオイル供給路Ｄ２を構成する溝が形成されている（図８参照）。
【００６３】
すなわち、第２のオイル供給路Ｄ２は、上側クランクケース11Ｕに形成された溝の開口の一部を、下側クランクケース11Ｌの割り面が蓋をする形で構成される。
第１のオイル供給路Ｄ１の上端部で割り面の第２のオイル供給路Ｄ２との接続箇所に複数の小さな孔部からなるフィルタ80が介装されている。
【００６４】
第２のオイル供給路Ｄ２が連通する上側クランクケース11Ｕの中央のジャーナル壁11Ｕｗに形成された空洞28は、下側クランクケース11Ｌの割り面により蓋をされて第３のオイル供給路でもあるが適当な容積を有して一時オイルを溜めておけるオイル溜り室Ｄａとなる。
【００６５】
図９を参照して、このオイル溜り室Ｄａの上部空間に、左右両側から直線状をした管状部材である左右のピストン冷却用のオイル噴射用配管81Ｌ，81Ｒが、その内端部を嵌入させて左右外側方に延びている（図９では左右が逆である）。
左右のオイル噴射用配管81Ｌ，81Ｒには、５つの隣り合うジャーナル壁11Ｕｗの各中間位置に上方のシリンダボア12ｃに向けてオイル噴射孔であるオイルジェット81Ｌｊ，81Ｒｊが左右２つずつ穿孔されている。
【００６６】
オイル溜り室Ｄａを形成する左右の側壁には所定位置に同軸に円孔が形成されて、同円孔に左右のオイル噴射用配管81Ｌ，81Ｒの内端部がカラー82，82およびＯリング83，83を介して嵌入されて内端部の開口であるオイル導入口をオイル溜り室Ｄａに臨ませている。
そして、左右のオイル噴射用配管81Ｌ，81Ｒは、中央のジャーナル壁11Ｕｗに隣り合う左右両側のジャーナル壁11Ｕｗ，11Ｕｗの円孔84，84を貫通して、外端部が左右最外側のジャーナル壁11Ｕｗ，11Ｕｗに形成された円孔85，85に挿入されている。
【００６７】
左右のオイル噴射用配管81Ｌ，81Ｒの外端部には筒状のキャップ部材86Ｌ，86Ｒが被せられている。
キャップ部材86Ｌ，86Ｒは、軸方向に大小の内径と大小の外径が形成されており、オイル噴射用配管81Ｌ，81Ｒの外径に等しい大内径部にオイル噴射用配管81Ｌ，81Ｒが圧入される形でキャップ部材86Ｌ，86Ｒが被せられる。
【００６８】
キャップ部材86Ｌ，86Ｒの大外径部が、左右最外側のジャーナル壁11Ｕｗ，11Ｕｗに形成された円孔85，85に圧入されて、オイル噴射用配管81Ｌ，81Ｒの外端部がキャップ部材86Ｌ，86Ｒを介して左右最外側のジャーナル壁11Ｕｗ，11Ｕｗに固着支持される。
キャップ部材86Ｌ，86Ｒの大外径部の一部と小外径部は外側に突出している。
【００６９】
そして、左側キャップ部材86Ｌの小内径部の外側開口に、オイル噴射孔であるオイルジェット87Ｌｊが形成された円筒状をしたオイルジェット部材87Ｌが圧入され、右側キャップ部材86Ｒの小内径部の外側開口には、栓部材87Ｒが圧入されて開口を閉塞している。
【００７０】
キャップ部材86Ｌ，86Ｒの外側に突出した小外径部に、板状の取付けステー88Ｌ，88Ｒの先端部円孔が圧入嵌着される。
取付けステー88Ｌ，88Ｒの基端部円孔88Ｌａ，88Ｒａは、左右最外側のジャーナル壁11Ｕｗ，11Ｕｗの各々所定位置に形成されたねじ孔89Ｌ，89Ｒに合せてワッシャ91Ｌ，91Ｒを介して締結ボルト90Ｌ，90Ｒにより外側から螺合して緊締される。
【００７１】
こうして上側クランクケース11Ｕの５つのジャーナル壁11Ｕｗを貫通して取り付けられた左右のオイル噴射用配管81Ｌ，81Ｒは、各オイルジェット81Ｌｊ，81Ｒｊが対応するシリンダボア12ｃ内のピストン30に向いてオイルをピストン30に効果的に噴射してピストン30を効率良く冷却することができる。
【００７２】
また、左側のオイル噴射用配管81Ｌは、左端にオイルジェット部材87Ｌが圧入されて、オイルジェット部材87Ｌのオイルジェット87Ｌｊから左方にオイルを噴射するようになっている。
オイルジェット87Ｌｊは、交流発電機47に直接でなく、交流発電機47のアウタロータ47ｒの外周面と発電機カバー48の内周面との間の環状空間にオイルを噴射して交流発電機47を冷却する。
【００７３】
本水冷式内燃機関Ｅは、互いの駆動軸71と駆動軸101が連結されてオイルポンプ70と連動して回転駆動される水ポンプ100を、冷却水の供給源とする冷却系を構成している。
本内燃機関Ｅの冷却系において、図２を参照して、水ポンプ100は、前記したように下側クランクケース11Ｌの左側壁の後部に取り付けられており、内燃機関Ｅの前方にラジエータ105が配置され、そしてサーモスタットケース110がシリンダヘッド13の右端気筒の吸気ポート33の下側から後方に延出した冷却水出口である冷却水排出管108に連結されて取り付けられている。
サーモスタットケース110には、ワックスタイプのボトムバイパス式サーモスタットが内蔵されている。
【００７４】
水ポンプ100は、駆動軸101と一体に回転するインペラ102を収納するポンプ室が、駆動軸101を軸支するポンプボディ100ａとポンプカバー100ｂとで構成されており（図７参照）、このポンプカバー100ｂの吸入口の前方に延出した接続管103ａに一端を接続したラジエータ流出ホース107が、下側クランクケース11Ｌの左側面の下部に沿って配設されラジエータ105の流出口に他端を接続している。
【００７５】
また、ポンプカバー100ｂの同じ吸入口の上方に延出した接続管103ｂに一端を接続したバイパス用ホース112が、下側クランクケース11Ｌと上側クランクケース11Ｕのミッション室11Ｍを形成する後半部の左側面の後部に沿って上方に延び、上側クランクケース11Ｕの後半部の上面を前方斜め右側に屈曲してスタータモータ60の左側を通り、図４の上面視でスタータモータ60とシリンダブロック12およびシリンダヘッド13との間を右方斜め上側に延びてサーモスタットケース110の上部に他端を接続している。
【００７６】
また、水ポンプ100のポンプカバー100ｂの吐出口から延出した接続管103ｃに一端を接続した冷却水供給管であるポンプ吐出ホース113が下側クランクケース11Ｌと上側クランクケース11Ｕの左側面の後部に沿って上方に延び、前方に屈曲してシリンダブロック12の左側面に突設された管継手部材115の斜め後方に延出した流入接続管115ｂに他端を接続している。
【００７７】
管継手部材115は、シリンダブロック12との合せ面に縦長に開口した内空間115ａが形成されていて、その開口端縁のフランジ部が３箇所ボルト116によりシリンダブロック12に締結されて取り付けられている（図２，図５参照）。
【００７８】
図５に示すように、シリンダブロック12の左側壁には、管継手部材115の内空間115ａの開口に対向して上下に仕切られた下側冷却水入口120と上側冷却水入口121とが形成されており、下側冷却水入口120はシリンダブロック12のシリンダボア12ｃの周囲に形成された第１ウォータジャケット12ｗに連通し、上側冷却水入口121は上方に屈曲した連通孔122がシリンダヘッド13の連通孔123に連続し、連通孔123がシリンダヘッド13の第２ウォータジャケット13ｗに連通する。
【００７９】
また、図２に示すように、管継手部材115は斜め前方に分岐接続管115ｃが延出しており、同分岐接続管115ｃに一端を接続したオイルクーラ用の流入ホース117が斜め前下方向に延出して下側クランクケース11Ｕの前面に突設されたオイルクーラ77の水流入口に他端を接続している。
オイルクーラ77の水流出口から延出した流出ホース118は前記ラジエータ流出ホース107に連結されてオイルクーラ77を経た冷却水を、ラジエータ流出ホース107の一部を利用して水ポンプ100に戻している。
【００８０】
本内燃機関Ｅの冷却系は、以上のように構成されており、水ポンプ100の駆動により吐出した冷却水は、ポンプ吐出ホース113を通ってシリンダブロック12の管継手部材115に至り、シリンダブロック12の左側壁の下側冷却水入口120と上側冷却水入口121に分岐し、下側冷却水入口120に流入した冷却水はシリンダブロック12の第１ウォータジャケット12ｗを右方に流れてシリンダブロック12を冷却し、上側冷却水入口121に流入した冷却水は連通孔122，123を経てシリンダヘッド13の第２ウォータジャケット13ｗを右方に流れてシリンダヘッド13を冷却する。
【００８１】
シリンダブロック12とシリンダヘッド13の合せ面に挟まれるガスケットがシリンダブロック12の第１ウォータジャケット12ｗとシリンダヘッド13の第２ウォータジャケット13ｗとを仕切っているが、右端の一部に連通孔が穿孔されていて、第１ウォータジャケット12ｗから第２ウォータジャケット13ｗにシリンダブロック12を冷却した冷却水が流入し、第１ウォータジャケット12ｗと第２ウォータジャケット13ｗを互いに独立して流れた冷却水が合流し、シリンダヘッド13の後面の右端部で後方に延出した冷却水排出管108から流出しサーモスタットケース110に至る。
サーモスタットケース110により内燃機関Ｅの暖機状態に応じてラジエータ105への冷却水の流通および遮断を制御する。
【００８２】
一方、水ポンプ100よりポンプ吐出ホース113に吐出した冷却水は、管継手部材115からシリンダブロック12の下側冷却水入口120と上側冷却水入口121に分流するとともに、管継手部材115の内空間115ａで流入ホース117にも分流してオイルクーラ77に至り、オイルクーラ77から流出ホース118を通ってラジエータ流出ホース107の一部を介して水ポンプ100に戻る循環を行ってオイルを冷却する。
【００８３】
本内燃機関Ｅは、概ね以上のように構成されており、クランク室11Ｃとミッション室11Ｍを形成するクランクケース11は、上下割りに構成されて、前記したように上側クランクケース11Ｕと下側クランクケース11Ｌが割り面で合わされてスタッドボルト21ｆ，21ｒおよび複数の締結ボルト23により締結される。
【００８４】
下側クランクケース11Ｌにおける後端縁部の最後部となる４つの締付ボス部29ｒのうち代表して右端の締付ボス部29rlおよびこれと対向する上側クランクケース11Ｕの締付ボス部29ruは、クランクケース11を右側面から視た図３を参照して、車体前後方向で前記摩擦クラッチ54の後方部位と重なる位置にある。
【００８５】
メイン軸51は、クランク軸10の後方で上側クランクケース11Ｕと下側クランクケース11Ｌの割り面に挟まれ軸支されるカウンタ軸55の上方で若干前寄りに位置しており、同メイン軸51の右端に設けられる大径の摩擦クラッチ54の後方部位が締付ボス部29ru，29rlの上方に位置する。
【００８６】
このようにクランクケース11の最後部の締付ボス部29ｒが、車体前後方向で摩擦クラッチ54の後方部位と重なるまで前方に位置しているので、内燃機関Ｅより後方の車体のコンパクト化を図ることができる。
【００８７】
クランクケース11の割り面に軸支されるカウンタ軸55は、出力軸でもあり、クランクケース11を左方に貫通して外部に突出させた左端部に出力スプロケット57ａが嵌着され、後輪ＲＷに動力を伝達する伝動チェーン58が出力スプロケット57ａに巻き掛けられている。
そして、クランクケース11の割り面の後端部の締付ボス部29ｒ（29rl）の後方には、図３に示すように、スイングアーム６の前端を軸支するピボット軸Ｐが位置している。
【００８８】
クランクケース11の最後部の締付ボス部29ｒが、車体前後方向で摩擦クラッチ54の後方部位と重なるまで前方に位置しているので、図１および図３を参照して、ピボット軸Ｐを出力スプロケット57ａにより近づけて近接配置することができる。
したがって、スイングアーム６の揺動中心を伝動チェーン58に近づけることができるため、伝動チェーン58のテンションが安定しフリクションが低減される。
【００８９】
また、スイングアーム６の前端の揺動中心（ピボット軸Ｐ）を内燃機関Ｅに可及的に近づけ車体のより前方に位置させることで、ホイールベースを長大化することなく揺動中心から後輪車軸までのスイングアーム長を確保することが可能となり、車両の運動性能の向上を図ることができる。
【００９０】
このように、クランクケース11の割り面の後端部の締付ボス部29ｒのうち右端の締付ボス部29rlは、上側クランクケース11Ｕの締付ボス部29ruとともに、摩擦クラッチ54の後方部位の下方に位置し（図３，図５参照）、同締付ボス部29rl，29ruの位置は図５に示すようにクランクケース11の割り面に軸支されるクランク軸10の右端のクランクピン10ｐとクランク軸方向で同一位置にある。
【００９１】
締付ボス部29rl，29ruを、前方の摩擦クラッチ54のクラッチアウタ54ｏに可及的に近づけているので、クラッチアウタ54ｏの左側面に当接固定された大径のプライマリドリブンギヤ53ｂは、図３に示すように、その外周の歯部（図３に２点鎖線で示すプライマリドリブンギヤ53ｂの最大径円）が締付ボス部29ruと側面視で重なり、締付ボス部29ruより左側（図３の右側面視で奥側）に位置する。
【００９２】
プライマリドリブンギヤ53ｂを備えた摩擦クラッチ54は、メイン軸51の右端部に右方から組付けられるので、メイン軸51と中心軸を同軸にプライマリドリブンギヤ53ｂを組み込もうとすると、締付ボス部29ruが干渉して締付ボス部29ruの左側（奥側）に組み込むことができない。
【００９３】
しかし、締付ボス部29ruはクランク軸10の右端のクランクピン10ｐとクランク軸方向で同一位置にあるので、クランク軸10のクランクピン10ｐのある一対のクランクウエブ10ｗ，10ｗ間に一度プライマリドリブンギヤ53ｂを逃がしながら当該締付ボス部29ruを乗り越えて締付ボス部29ruの左側（奥側）に組み込むことで摩擦クラッチ54をメイン軸51に組付けることができ、組付け性を維持できる。
【００９４】
また、締付ボス部29rl，29ruは、クランクケース11の割り面の右後隅部の近傍に位置するので、上側クランクケース11Ｕと下側クランクケース11Ｌの締結を隅部に近い位置で行うことができ、上側クランクケース11Ｕと下側クランクケース11Ｌの締結力を向上させることができる。
【図面の簡単な説明】
【００９５】
【図１】本発明の一実施の形態に係る内燃機関を搭載した自動二輪車の全体右側面図である。
【図２】本内燃機関の左側面図である。
【図３】同一部省略した右側面図である。
【図４】同一部省略した平面図である。
【図５】図２におけるＶ−Ｖ線で切断した断面図である。
【図６】図５におけるVI−VI線で切断した概略断面図である。
【図７】クランクケースの下面図である。
【図８】クランクケースの前面図である。
【図９】上側クランクケースの断面図である。
【符号の説明】
【００９６】
Ｅ…内燃機関、ＦＷ…前輪、ＲＷ…後輪、Ｐ…ピボット軸、
１…自動二輪車、６…スイングアーム、10…クランク軸、10ｐ…クランクピン、11…クランクケース、11Ｌ…下側クランクケース、11Ｕ…上側クランクケース、12…シリンダブロック、13…シリンダヘッド、14…シリンダヘッドカバー、21ｆ…スタッドボルト、23…締結ボルト、29，29ｒ，29ru， 29rl…締付ボス部、50…変速機、51…メイン軸、53ａ…プライマリドライブギヤ、53ｂ…プライマリドリブンギヤ、54…摩擦クラッチ、55…カウンタ軸、57ａ…出力スプロケット、57ｂ…被動スプロケット、58…伝動チェーン。
【図１】
0004620619.tif 000002
【図２】
0004620619.tif 000003
【図３】
0004620619.tif 000004
【図４】
0004620619.tif 000005
【図５】
0004620619.tif 000006
【図６】
0004620619.tif 000007
【図７】
0004620619.tif 000008
【図８】
0004620619.tif 000009
【図９】
0004620619.tif 000010